(57)【特許請求の範囲】
【請求項１】
筒状のパンチガイド内に、切刃部を下端部に備えたパンチドライバを上下動可能に設け、このパンチドライバの上端部に形成した雄ねじ部に螺合したパンチヘッドに、前記雄ねじ部に螺合した筒状ねじ部を備えると共にフランジ部を備え、かつ前記筒状ねじ部の外周面にテーパ部を設けると共に前記筒状ねじ部の内周面から前記フランジ部の外周面に至るスリットを前記パンチヘッドに設け、前記筒状ねじ部の前記テーパ部と嵌合離脱自在のリング部材と前記パンチガイドの上部に着脱可能のリテーナカラーとの間にストリッパ用弾性部材を弾装した構成のパンチ組立体において、前記パンチヘッドに対して前記リング部材を押し下げるための複数の押下げねじを前記パンチヘッドに備え、前記パンチヘッドの前記スリット内に、当該スリットを広げるためのスリット広げ部材を備え、前記押下げねじによって前記リング部材が押し下げられて前記テーパ部から前記リング部材が離脱されるに従って前記スリットを広げるために、前記スリット広げ部材は前記リング部材に連結してあり、かつ下部側よりも上部側が大きくなる錐体の形状であることを特徴とするパンチ組立体。
【請求項２】
請求項１に記載のパンチ組立体において、前記パンチヘッドと前記リテーナカラーとを所定の間隔に保持可能の間隔保持部材を備えていることを特徴とするパンチ組立体。
【発明の詳細な説明】
【０００１】
【発明の属する技術分野】
本発明は、パンチプレスに使用するパンチ組立体に係り、さらに詳細には、例えばハイト調整等を容易に行うことのできるパンチ組立体に関する。
【０００２】
【従来の技術】
本発明に係る先行例として、例えば実公平７−５００２４号公報がある。上記先行例に係るパンチ組立体１０１は次のごとき構成である。すなわち、図３に示すように、円筒形状のパンチガイド１０３内に、下端部に切刃部１０５Ａを備えたパンチドライバ１０５を上下動可能に嵌合して設け、前記パンチガイド１０３から上方向へ突出した前記パンチドライバ１０５の上端部に形成した雄ねじ部１０５Ｂにパンチヘッド１０７が螺合してある。
【０００３】
上記パンチヘッド１０７は、前記雄ねじ部１０５Ｂに螺合した筒状ねじ部１０７Ａの上部にフランジ部１０７Ｂを備えた構成である。そして、上記筒状ねじ部１０７Ａの外周面にテーパ部１０７Ｃが形成してあり、かつ前記筒状ねじ部１０７Ａの内周面から前記フランジ部１０７Ｂの外周面に至るスリット（図示省略）が形成してある。
【０００４】
前記パンチヘッド１０７の筒状ねじ部１０７Ａには、前記テーパ部１０７Ｃに嵌合離脱自在のリング部材１０９が設けてあり、このリング部材１０９と止めねじ１１１を介して前記パンチガイド１０３の上部に取付けたリテーナカラー１１３との間には、極めて強力なストリッパスプリング１１５が弾装してある。
【０００５】
【発明が解決しようとする課題】
前述のごとき従来の構成においては、ストリッパスプリング１１５の作用によってパンチヘッド１０７のテーパ部１０７Ｃにリング部材１０９が強力に嵌合され、パンチヘッド１０７に形成したスリットの間隔が狭くなるように挟圧されるので、パンチドライバ１０５の上端部の雄ねじ部１０５Ｂとパンチヘッド１０７の筒状ねじ部１０７Ａとの螺合状態が固くなって緩みが生じ難くなるという効果がある。
【０００６】
しかし、パンチドライバ１０５の切刃部１０５Ａに摩耗が生じ、再研磨のために分解する場合や、ハイト調整のためにパンチドライバ１０５とパンチヘッド１０７との上下位置関係を微調整しようとする場合、パンチドライバ１０５に対してパンチヘッド１０７を回転することが中々厄介であるという問題がある。
【０００７】
すなわち、パンチ組立体１０１を分解する場合には、止めねじ１１１を弛めてパンチドライバ１０５等をパンチガイド１０３から上方向に抜き出した後、パンチヘッド１０７におけるフランジ部１０７Ｂの複数箇所に設けたねじ孔１０７Ｄにボルトを螺入し、この複数のボルトによってリング部材１０９を押し下げ、パンチヘッド１０７のテーパ部１０７Ｃとリング部材１０９との嵌合を解除する。または適宜の治具を用いて前記テーパ部１０７Ｃとリング部材１０９との嵌合を解除する。その後、パンチドライバ１０５に対してパンチヘッド１０７を回すことにより、パンチドライバ１０５からパンチヘッド１０７を取り外すものである。
【０００８】
上述のごとく、パンチドライバ１０５からパンチヘッド１０７を取り外すとき、テーパ部１０７Ｃとリング部材１０９との嵌合を解除した状態にあるものの、パンチドライバ１０５に対してパンチヘッド１０７を手等によって容易に回すことができないという問題がある。
【０００９】
【課題を解決するための手段】
本発明は、上述のごとき従来の問題に鑑みてなされたもので、請求項１に係る発明は、筒状のパンチガイド内に、切刃部を下端部に備えたパンチドライバを上下動可能に設け、このパンチドライバの上端部に形成した雄ねじ部に螺合したパンチヘッドに、前記雄ねじ部に螺合した筒状ねじ部を備えると共にフランジ部を備え、かつ前記筒状ねじ部の外周面にテーパ部を設けると共に前記筒状ねじ部の内周面から前記フランジ部の外周面に至るスリットを前記パンチヘッドに設け、前記筒状ねじ部の前記テーパ部と嵌合離脱自在のリング部材と前記パンチガイドの上部に着脱可能のリテーナカラーとの間にストリッパ用弾性部材を弾装した構成のパンチ組立体において、前記パンチヘッドに対して前記リング部材を押し下げるための複数の押下げねじを前記パンチヘッドに備え、前記パンチヘッドの前記スリット内に、当該スリットを広げるためのスリット広げ部材を備え、前記押下げねじによって前記リング部材が押し下げられて前記テーパ部から前記リング部材が離脱されるに従って前記スリットを広げるために、前記スリット広げ部材は前記リング部材に連結してあり、かつ下部側よりも上部側が大きくなる錐体の形状である。
【００１１】
請求項２に係る発明は、請求項１に記載のパンチ組立体において、前記パンチヘッドと前記リテーナカラーとを所定の間隔に保持可能の間隔保持部材を備えているものである。
【００１２】
【発明の実施の形態】
図１を参照するに、本発明の実施の形態に係るパンチ組立体１は、円筒形状のパンチガイド３内に、下端部に切刃部５Ａを備えたパンチドライバ５が上下動可能に嵌入してあり、パンチガイド３から上方向に突出したパンチドライバ５の上端部には雄ねじ部５Ｂが形成してある。そして、上記雄ねじ部５Ｂにはパンチヘッド７が着脱可能に螺合してある。
【００１３】
上記パンチヘッド７には、前記雄ねじ部５Ｂに螺合した筒状ねじ部９が形成してあると共にフランジ部１１が形成してあり、上記筒状ねじ部９の外周面には従来の構成と同様にテーパ部９Ｔが形成してある。また、前記パンチヘッド７には、前記筒状ねじ部９の内周面から前記フランジ部１１の外周面に至るスリット１３（図２参照）が形成してあると共に、前記テーパ部９Ｔに嵌合離脱自在のリング部材１５を下方向へ相対的に押し下げ可能の複数の押下げねじ１７がフランジ部１１の複数箇所に上下動可能に下側から螺入してある。
【００１４】
そして、前記スリット１３の部分には、下側が狭くなるテーパ孔等のごとき係合孔１９が形成してあり、この係合孔１９内には、パンチヘッド７に対して相対的に下降することによって前記スリット１３の幅を拡げる作用をなすスリット広げ部材２１が係合してある。
【００１５】
上記スリット広げ部材２１は、例えばテーパピン等のごとく下部側よりも上部側が大きくなる錐体よりなるものであって、本実施の形態においては、スリット広げ部材２１は止めねじを介して前記リング部材１５と一体的に連結してある。
【００１６】
前記パンチドライバ５の上部側を囲繞して前記パンチガイド３の上部に着脱可能に取付けたリテーナカラー２３と前記リング部材１５との間には、極めて強力なストリッパスプリング等のごとき弾性部材２５が弾装してある。前記リテーナカラー２３は、当該リテーナカラー２３の下側小径部分に嵌合したＯリング２７を介して前記パンチガイド３に着脱可能に設けられている。
【００１７】
そして、前記リテーナカラー２３には、前記弾性部材２５等を内包する態様の筒状体２９の下端部が適宜の止め具３１によって固定してあり、この筒状体２９の上端部内周面に内方向へ突出して形成した係止部３３は、前記パンチヘッド７のフランジ部１１の上面外周側に形成した係合部３５と係合してある。上記筒状体２９は、弾性部材２５に抗してパンチヘッド７を下降することは許容するものの、上記弾性部材２５の作用によって上昇することを規制し、前記パンチヘッド７とリテーナカラー２３との間隔を所定の間隔に保持する間隔保持部材として機能すると共に安全カバーの機能を奏するものである。
【００１８】
以上のごとき構成において、パンチ組立体１をパンチプレスに装着し、パンチプレスにおいて上下動自在のストライカによってパンチヘッド７を打圧すると、先ず、パンチ組立体１を上下動可能に支持したリフタースプリング（図示省略）が圧縮され、パンチガイド３の下部が打抜き加工すべきワークの上面に当接し、下側に配置してあるダイとの間にワークを挟圧すると、次に、弾性部材２５に抗してパンチヘッド７、パンチドライバ５が下降され、前記ワークの打抜き加工が行われるものである。
【００１９】
なお、パンチ組立体１によってワークの打抜き加工を行う作用は、例えば前記先行例のパンチ組立体と同様であるので、より詳細な説明は省略する。
【００２０】
ところで、例えば、パンチドライバ５における切刃部５Ａの再研磨を行うべく分解する場合には、パンチガイド３からリテーナカラー２３を上方向へ引き抜いた後、パンチヘッド７の複数箇所に螺着した押下げねじ１７を弾性部材２５に抗して下降せしめ、当該押下げねじ１７によってリング部材１５を押し下げると、パンチヘッド７における筒状ねじ部９のテーパ部９Ｔからリング部材１５が下方向に離脱する。
【００２１】
上述の如くパンチヘッド７に対してリング部材１５を下降すると、テーパ部９Ｔからリング部材１５が離脱されて、弾性部材２５の付勢力に起因する筒状ねじ部９の締付力が解除されることになる。そして、前記リング部材１５の下降に従ってスリット広げ部材２１が一体的に下降し、スリット１３を広げるので、パンチドライバ５の雄ねじ部５Ｂと筒状ねじ部９との噛み合が緩められることとなり、前記雄ねじ部５Ｂに対して筒状ねじ部９を回転して取り外すことがより容易になるものである。
【００２２】
さらに、前記構成によれば、前記弾性部材２５の付勢力はパンチヘッド７の係合部３５を介して筒状体２９の係止部３３で受けることとなり、筒状ねじ部９とパンチドライバ５の雄ねじ部５Ｂとの螺合部分には、前記弾性部材２５の付勢力が作用することがないので、パンチヘッド７に対してパンチドライバ５をさらに容易に回転することができ、パンチヘッド７からパンチドライバ５を下方向へ容易に取り外すことができるものである。
【００２３】
したがって、パンチドライバ５の再研磨のためにパンチヘッド７からパンチドライバ５を取り外すことが容易であり、また、再研磨後に、ハイト調整のためにパンチドライバ５とパンチヘッド７との上下位置を微調整する場合、ハイト調整を容易に行い得るものである。
【００２４】
【発明の効果】
以上のごとき説明より理解されるように、本発明によれば、パンチヘッドに形成したスリットを広げることによって、パンチドライバの雄ねじ部とパンチヘッドとの螺合部の噛み合を緩めることができる。したがって、パンチヘッドに対してパンチドライバを容易に回すことができ、パンチ組立体の組立分解及びハイト調整を容易に行うことができ、前述したごとき従来の問題を解消し得るものである。
【図面の簡単な説明】
【図１】本発明の実施の形態に係るパンチ組立体の構成を示す断面説明図である。
【図２】図１に示したパンチヘッドの平面説明図である。
【図３】従来のパンチ組立体の構成を示す断面説明図である。
【符号の説明】
１  パンチ組立体
３  パンチガイド
５  パンチドライバ
５Ａ  切刃部
５Ｂ  雄ねじ部
７  パンチヘッド
９  筒状ねじ部
１１  フランジ部
１３  スリット
１５  リング部材
１７  押下げねじ
１９  係合孔
２１  スリット広げ部材
２３  リテーナカラー
２５  弾性部材
２９  筒状体
３３  係止部
３５  係合部
【図１】
0004002089.tif 000002
【図２】
0004002089.tif 000003
【図３】
0004002089.tif 000004